(57)【要約】【課題】外部にデータを出力する電気掃除機において、データの管理の煩雑さを解消すること。【解決手段】 課題を解決する為には、電気掃除機において、制御部と、手元操作部を有する把持部と、手元操作部に設けられ把持部を動かした時の動作状態を検出する動作状態検出手段と、動作状態検出手段で検出した動作情報を記憶する記憶手段と、外部端末に情報を送信する情報伝達手段を備え、制御部は、動作状態検出手段と情報伝達手段と記憶手段と接続し、動作状況検出手段より入力される動作情報を所定の区切りの個々の運転情報として記憶手段に記憶し、記憶手段に記憶されている運転情報に関するデータは、情報伝達手段より外部に送信することで、外部端末が読み込むことが可能であり、記憶手段は、運転情報に関するデータを外部端末が読み込んだときに更新される読み込まれた情報を特定する読み込み済み運転情報を記憶する。【選択図】図１
2015221151.tif 000002
【特許請求の範囲】
【請求項１】
本体と、該本体に接続された手元操作部を有する把持部と、
前記手元操作部に設けられ前記把持部を動かした時の動作状態を検出する動作状態検出手段と、
前記動作状態検出手段で検出した動作情報を記憶する記憶手段と、
外部端末に情報を送信する情報伝達手段と、各部の制御を行う制御部を備え、
前記制御部は、前記動作状態検出手段と前記情報伝達手段と前記記憶手段と接続し、前記動作状況検出手段より入力される前記動作情報を所定の単位で区切られた個々の運転情報として前記記憶手段に記憶し、
該記憶手段に記憶されている前記運転情報に関するデータは、前記情報伝達手段より外部に送信することにより、前記外部端末が読み込むことが可能であり、
該記憶手段は、前記運転情報に関するデータを前記外部端末が読み込んだときに更新され、かつ読み込まれた情報を特定する、読み込み済み運転情報を記憶することを特徴とする電気掃除機。
【請求項２】
前記記憶手段は、固有の識別情報を記憶することを特徴とする請求項１に記載の電気掃除機。
【請求項３】
前記識別情報は、前記外部端末から取得することを特徴とする請求項２に記載の電気掃除機。
【請求項４】
前記外部端末が読み込む前記運転情報には、前記識別情報が付加されていることを特徴とする請求項２又は請求項３のいずれかに記載の電気掃除機。
【発明の詳細な説明】
【技術分野】
【０００１】
本発明は、外部端末にデータを送信する電気掃除機に関する。
【背景技術】
【０００２】
従来から、掃除機を用いた掃除動作に伴う消費カロリーを計算し、計算された消費カロリーデータを外部装置へ出力するためのインターフェースを有する電気掃除機がある（例えば、特許文献１参照）。
【先行技術文献】
【特許文献】
【０００３】
【特許文献１】特開２００６−６８３２４号公報
【発明の概要】
【発明が解決しようとする課題】
【０００４】
しかしながら、特許文献１に記載の電気掃除機は、計算した消費カロリーデータを、単に外部端末へ出力する構成であるため、既に外部端末にて読み込み済みのデータも再度送信することとなり、外部端末側でデータが重複する恐れがあり、データの管理が煩雑となるという課題がある。
【０００５】
本発明は、上記のような課題を解決する為になされたもので、外部端末にデータを出力する電気掃除機において、データの管理の煩雑さを解消した電気掃除機を提供することを目的とする。
【課題を解決するための手段】
【０００６】
上記の課題を解決するためには、電気掃除機において、本体と、本体に接続された手元操作部を有する把持部と、手元操作部に設けられ把持部を動かした時の動作状態を検出する動作状態検出手段と、動作状態検出手段で検出した動作情報を記憶する記憶手段と、外部端末に情報を送信する情報伝達手段と、各部の制御を行う制御部を備え、制御部は、動作状態検出手段と情報伝達手段と記憶手段と接続し、動作状況検出手段より入力される動作情報を所定の単位で区切られた個々の運転情報として記憶手段に記憶し、記憶手段に記憶されている運転情報に関するデータは、情報伝達手段より外部に送信することにより、外部端末が読み込むことが可能であり、記憶手段は、運転情報に関するデータを外部端末が読み込んだときに更新され、かつ読み込まれた情報を特定する、読み込み済み運転情報を記憶するように構成すればよい。
【発明の効果】
【０００７】
本発明によれば、外部端末にデータを出力する電気掃除機において、データの管理の煩雑さを解消した電気掃除機を提供することができる。
【図面の簡単な説明】
【０００８】
【図１】実施の形態１に係る電気掃除機の概略構成を示す全体斜視図
【図２】実施の形態１に係る電気掃除機の本体を側面方向から見た断面図
【図３】実施の形態１に係る電気掃除機の把持部の分解斜視図
【図４】実施の形態１に係る電気掃除機の電気的な概略構成を示すブロック図
【図５】（ａ）実施の形態１に係る電気掃除機の動作状態検出手段の３軸の検出データを合成した波形図、（ｂ）実施の形態１に係る電気掃除機の動作状態検出手段の３軸の検出データを合成した波形の拡大図
【図６】実施の形態１に係る電気掃除機の動作状態検出手段の動作状態と補正係数の対比表
【図７】実施の形態１に係る（ａ）消費カロリー表示の例、（ｂ）運動量表示の例
【図８】実施の形態１に係る記憶手段に記録される情報を示す表
【図９】実施の形態２に係る記憶手段に記録される情報を示す表
【発明を実施するための形態】
【０００９】
実施の形態１．
（全体の構成）
図１は、本発明の実施の形態１に係る電気掃除機の概略を示す全体斜視図、本発明の実施の形態１に係る電気掃除機の本体を側面方向から見た断面図である。図１と図２により、本発明の実施の形態１に係る電気掃除機全体の概略構成を説明する。
【００１０】
図１及び図２に示すように、本発明の実施の形態１に係る電気掃除機は、ホース体１が電気掃除機本体２に接続され、全体で電気掃除機１００として構成されている。ホース体１は吸込具３、延長管４、把持部５、ホース７がそれぞれ連結されて構成されている。
【００１１】
電気掃除機本体２の前側には、ホース体１を接続するための接続口８が設けられている。また、電気掃除機本体２の上面後方には、ハンドル９が設けられている。これは電気掃除機本体２を持ち運ぶときに使用するためのもので、樹脂素材で形成されている。
【００１２】
さらに、電気掃除機本体２の上面には、前方から後方に傾斜するように集塵部１０が着脱自在に取付けられている。集塵部１０は、図２に示す電気掃除機本体２に内包された電動送風機１１が、把持部５に設けられた手元操作部６からの入力で駆動することにより発生する吸引風によって、吸込具３から吸い込んだ塵埃を含んだ空気から、塵埃と空気を分離して塵埃を捕集、収容するためのものである。
【００１３】
さらに、電気掃除機本体２には電動送風機１１の他、手元操作部６からの入力で電動送風機１１の駆動、出力増減等を制御するための本体制御基板１２、電動送風機１１等に後述する商用電源４１から電力供給する図示しない電源コードを収納するためのコードリールも内包される。
【００１４】
前述のようにホース体１は吸込具３、延長管４、把持部５、ホース７で構成される。電気掃除機本体２の接続口８に一端が接続されるホース７は、蛇腹のような可撓性を有する軟質管で形成されている。
【００１５】
ホース７のもう一端は、把持部５の一端に接続される。把持部５のもう一端は、延長管４の一端に接続される。延長管４は図示しないが伸縮構造を有しており、掃除をするとき、必要に応じて伸ばして使用することができるようになっていて、硬質の樹脂素材で形成されている。
【００１６】
延長管４のもう一端は、吸込具３に接続される。吸込具３は、前述の電動送風機１１が駆動することで発生する吸引風によって、床やカーペット等の被清掃面上にある塵埃を含んだ空気を吸い込むためのもので、延長管４と同様に硬質の樹脂素材で形成されている。
【００１７】
なお、吸込具には、特にカーペットの塵埃を吸引しやすくするための回転ブラシを備えるものと備えないものがあるが、本発明の実施の形態１に係る電気掃除機には何れのものも使用可能である。
【００１８】
吸込具３は、把持部５によって操る（動かす）ことができる。把持部５をつかんで動かすことで、延長管４を介して連結された吸込具３を前後左右に自在に操ることができ、被清掃面を隈なく掃除することができる。
【００１９】
また、電気掃除機本体２には図１、２に示すように車輪１３ａ及び１３ｂが両側面に、キャスター１４が底面に設けられている。これら車輪１３ａ及び１３ｂとキャスター１４が、把持部５をつかんでホース７で連結された電気掃除機本体２を動かすときに、床やカーペット等の被清掃面上を移動しやすくしている。
よって、把持部５をつかんで動かすことで、吸込具３を操り電気掃除機本体２を引きまわして掃除を行えるようになる。
【００２０】
（把持部と手元操作部の構成）
把持部５には手元操作部６が設けられている。図３及び図４により、本発明の実施の形態１に係る電気掃除機の把持部と手元操作部の構成を説明する。図３は本発明の実施の形態１に係る電気掃除機の把持部の分解斜視図である。図４は本発明の実施の形態１に係る電気掃除機の電気的な概略構成を示すブロック図である。
【００２１】
把持部５は図３に示すように、把持部本体２１に上カバー２２を取り付け、側面カバー２３ａ、２３ｂと手元操作部側面カバー２４ａ、２４ｂをそれぞれ取り付けて構成されている。
【００２２】
把持部本体２１は硬質の樹脂素材で形成されていて、操作部基板２５が取り付けられている。上カバー２２は把持部本体２１と同様、硬質の樹脂素材で形成されており、手元操作部６が設けられていて、手元操作部６には操作キー２６ａ、２６ｂ、２６ｃ、２６ｄが設けられている。この手元操作部６には、図１からわかるように操作ボタン２６ａ、２６ｂ、２６ｃ、２６ｄに対応するボタンの名称等が印刷された印刷物が貼られている。
【００２３】
把持部本体２１に取り付けられた操作部基板２５には、操作キー２６ａ、２６ｂ、２６ｃ、２６ｄに対応するスイッチ２７ａ、２７ｂ、２７ｃ、２７ｄ（２７ａ、２７ｂ、２７ｃは図示せず）が実装されている。
【００２４】
操作キー２６ａ、２６ｂ、２６ｃ、２６ｄを押下することで、スイッチ２７ａ、２７ｂ、２７ｃ、２７ｄがオンあるいはオフされ、例えば操作キー２６ａで電動送風機１１の起動や停止、操作キー２６ｂで出力の増減の操作を行うことができる。
【００２５】
また、図３には示していないが、操作部基板２５には、後述する手元制御部３２を構成する処理・演算部（スレーブマイコン）３３と、把持部５の動作状態、言い換えると把持部５をつかんで動かしている使用者の動作状態を検出する動作状態検出手段３４も実装されている。
【００２６】
動作状態検出手段３４は３軸の加速度センサーである。３軸の加速度センサーは、Ｘ軸、Ｙ軸、Ｚ軸の３方向に対応していて、Ｘ軸、Ｙ軸、Ｚ軸の３方向への動き、言い換えると前後方向、左右方向及び上下方向への動きを加速度として検出することができる。
この動作状態検出手段３４により、使用者がつかんで動かしている把持部５の動きを検出している。
【００２７】
また、把持部５は、操作部基板２５の他に情報伝達手段６１が取り付けられている。情報伝達手段６１は図示しない信号用の電線で操作部基板２５と接続されている。情報伝達手段６１は、電気掃除機２００からの消費カロリー、あるいは運動量、あるいはその両方の情報を外部端末である携帯情報端末９１に無線で送信するためのものである。
【００２８】
情報の伝達方式としては、情報伝達手段６１に携帯情報端末９１を近接させて無線で情報を送受信する近接場型無線通信、あるいは近接場型無線通信ほど近接させなくても、ある程度近い距離であれば無線で情報の送受信ができる近距離無線通信、あるいは近距離無線通信よりもさらに距離が離れても無線で情報の送受信ができる無線ＬＡＮなどがある。
【００２９】
本発明の実施の形態１２に係る電気掃除機では、情報伝達手段６１に携帯情報端末９１を近接させて無線で情報を送受信する近接場型無線通信を一例として説明するが、この方式に限定されるものではなく、本発明の実施の形態１２に係る電気掃除機は、これら通信手段の何れの方式についても採用可能であり、複数の通信手段を採用することも可能であることを述べておく。
【００３０】
前述のように情報伝達手段６１は把持部本体２１に取り付けられているので、上カバー２２を取り付けると見えなくなる。そのため、情報伝達手段６１の位置がわかるように、上カバー２２に情報伝達位置表示６２が、印刷、あるいは刻印、あるいはシールなどの何れかの手段で設けられている。  
【００３１】
（電気的な構成と動作）
次に図４から図６により、本発明の実施の形態１に係る電気掃除機の電気的な構成と動作を説明する。図４は本発明の実施の形態１に係る電気掃除機の電気的な概略構成を示すブロック図、図５（ａ）は本発明の実施の形態１に係る電気掃除機の動作状態検出手段の３軸の検出データを合成した波形図、図５（ｂ）は本発明の実施の形態１に係る電気掃除機の動作状態検出手段の３軸の検出データを合成した波形の拡大図、図６は本発明の実施の形態１に係る電気掃除機の動作状態検出手段の動作状態と補正係数の対比表である。
【００３２】
手元操作部に設けられた操作キー２６ａによりスイッチ２７ａをオンすると、その信号が手元制御部３２の処理・演算部（スレーブマイコン）３３に送られて処理され、処理・演算部（スレーブマイコン）３３から本体制御部（マスターマイコン）４２に電動送風機１１を起動する信号を送る。
【００３３】
信号を受けた本体制御部（マスターマイコン）４２はスイッチ４３をオンさせ、図示しない電源コードで商用電源４１に接続された電動送風機１１を起動させる。
なお、本体制御部（マスターマイコン）４２は、図２に示す本体制御基板１２に実装されている。
【００３４】
この状態から再び操作キー２６ａによりスイッチ２７ａをオンすると、その信号が手元制御部３２の処理・演算部（スレーブマイコン）３３に送られて処理され、処理・演算部（スレーブマイコン）３３から本体制御部（マスターマイコン）４２に電動送風機１１を停止する信号を送る。信号を受けた本体制御部（マスターマイコン）４２はスイッチ４３をオフさせ、電動送風機１１を停止させる。
【００３５】
動作状態検出手段３４のＸ軸、Ｙ軸、Ｚ軸の３方向への動きを加速度として検出したデータも手元制御部３２の処理・演算部（スレーブマイコン）３３に送られる。このそれぞれの方向の加速度のデータは、処理・演算部（スレーブマイコン）３３で合成され、合成された加速度として算出される。
【００３６】
図５（ａ）は合成された加速度の波形を示したもので、掃除動作の開始（電動送風機１１の起動時）から掃除動作の終了（電動送風機１１の停止時）までの時間の合成した加速度である。掃除動作の開始（電動送風機１１の起動時）から掃除動作の終了（電動送風機１１の停止時）までの時間は、手元制御部３２の計時手段３６で計測する。
【００３７】
合成された加速度は、さらに単位時間当たりの平均値を算出し決定している。
図５（ｂ）に示すように、例えば計時手段３６で計測した４秒間単位で、最大１．０Ｇ、最小−１．０Ｇであれば平均の加速度１．０Ｇ、最大０．９Ｇ、最小−０．７Ｇであれば平均の加速度０．８Ｇというように、合成された加速度の最大値と最小値から平均値を算出している。こうして算出された加速度は、消費カロリー、あるいは運動量、あるいはその両方を算出するときの情報として使用される。
【００３８】
処理・演算部（スレーブマイコン）３３が消費カロリー、あるいは運動量、あるいはその両方を算出するときにＭＥＴｓという指標を使う。これはＭｅｔａｂｏｌｉｃＥｑｕｉｖａｌｅｎｔｓの略語で運動の代謝量のことをいう。
【００３９】
安静時の代謝量のＭＥＴｓ値を１としたときに、各種運動や作業をしたときの代謝量に相当する数値が設定されており、電気掃除機１００を使用した掃除動作のＭＥＴｓ値は３．３と規定されている。
【００４０】
この電気掃除機１００を使用した掃除動作のＭＥＴｓ値３．３を用い、次の計算式で電気掃除機１００を使用した掃除動作の消費カロリーを算出することができる。なお、１．０５は規定の係数である。
消費カロリー[ｋｃａｌ]＝１．０５×３．３×要した時間[ｈ]×使用者の体重[ｋｇ]
個人情報である使用者の体重は、把持部５の手元操作部６に設けられた入力手段３１（図３では図示せず）から入力するようになっている。
【００４１】
なお、この実施の形態１では手元操作部６に個別に入力手段３１を設けるようにしたが、手元操作部６の操作キー２６ａ、２６ｂ、２６ｃ、２６ｄから個人情報である使用者の体重を入力するようにしてもよく、個別に入力手段３１を設けずに手元操作部６の操作キー２６ａ、２６ｂ、２６ｃ、２６ｄと入力手段３１を兼用することが可能である。
【００４２】
運動量も同様にこのＭＥＴｓ値３．３を用い、次の計算式で電気掃除機１００を使用した掃除動作の運動量を算出することができる。運動量はエクササイズ：ＥＸという単位で表される。
運動量[ＥＸ]＝３．３×要した時間[ｈ]
【００４３】
だが、このＭＥＴｓ値３．３を用いた計算は、必ずしも掃除動作を正しく反映しているとは言えない。なぜならば、このＭＥＴｓ値３．３の掃除動作は一定の同じペースで掃除をしている状態を前提にしているため、実際の掃除動作のように、把持部５を早く動かしたり、遅く動かしたりしているときの運動の強さや弱さの状態を反映していないからである。
【００４４】
そこで、把持部５を早く動かしたり、遅く動かしたりしているときの運動の強さや弱さの状態を反映するよう、加速度毎に処理・演算部（スレーブマイコン）３３が消費カロリー、あるいは運動量を算出するときの補正係数を設定している。
【００４５】
図６は本発明の実施の形態１に係る電気掃除機の動作状態検出手段の動作状態と補正係数の対比表である。図６に示すように、例えば加速度０．４Ｇから０．６Ｇの範囲を標準のＭＥＴｓ値３．３として補正係数を±０と設定する。
【００４６】
そこから、加速度が弱くなる加速度０．２Ｇから０．４Ｇの範囲をＭＥＴｓ値３．３−ｘ１、加速度０．０Ｇから０．２Ｇの範囲をＭＥＴｓ値３．３−ｘ２、反対に加速度が強くなる加速度０．６Ｇから０．８Ｇの範囲をＭＥＴｓ値３．３＋ｘ１、というように補正係数を加減して、前述の計算式に加速度によってＭＥＴｓ値３．３を補正した値を用い、より現実的な消費カロリー、あるいは運動量、あるいはその両方を算出している。
【００４７】
前述のように補正した値を用いて、加速度０．０Ｇから０．２Ｇの範囲、加速度０．２Ｇから０．４Ｇの範囲、加速度０．４Ｇから０．６Ｇの範囲というように、加速度の範囲毎に前述の式で消費カロリー、あるいは運動量を算出し、それを合計して掃除動作の消費カロリー、あるいは運動量としている。
【００４８】
算出した消費カロリー、あるいは運動量、あるいはその両方の情報は、手元制御部３２により情報伝達手段６１に備えられた記憶手段６３に送り記録させる。記憶した消費カロリー、あるいは運動量あるいはその両方の情報は、把持部５の上カバー２２に設けられた情報伝達位置表示６２を目印に、携帯情報端末９１を情報伝達手段６１に近接させると、情報伝達手段６１から無線で携帯情報端末９１に送信される。
【００４９】
情報伝達手段６１から無線で携帯情報端末９１に送信するとき、情報伝達手段６１には受電コイル６４が設けられているので、掃除運転を停止し商用電源４１から電力供給がされない状況であっても、携帯情報端末９１を近接させることで、携帯情報端末９１に備えられている図示しない送電コイルから受電コイル６４に電力供給され、情報伝達手段６１が起動して情報の送信が可能となる。
【００５０】
掃除運転開始から掃除運転中においても、同様に商用電源４１からの電力供給に関係なく携帯情報端末９１に備えられている図示しない送電コイルから受電コイル６４に電力供給され、情報伝達手段６１を起動して情報を送信してもよいが、掃除運転開始から掃除運転中においては、商用電源４１からの電力供給により情報伝達手段６１から情報を送信するようにしてもよい。
【００５１】
送信された消費カロリー、あるいは運動量、あるいはその両方の情報は、図１１（ａ）、（ｂ）に示す表示の一例のように、携帯情報端末９１に設けられた表示部９２に表示され、使用者が確認できるようになる。なお、ここでは個別に表示した例を示したが、消費カロリーと運動量を同時に表示するようにしてもよい。
【００５２】
以上のように、掃除動作の消費カロリー、あるいは運動量、あるいはその両方を算出する際、動作状態検出手段（３軸の加速度センサー）により、掃除動作中に使用者が把持部をつかんで動かしている動きを加速度として検出し、その加速度から運動の強さや弱さに合わせて補正し正確度が向上した信頼性の高い消費カロリー、あるいは運動量、あるいはその両方を、携帯情報端末に表示するようにしたので、使用者がその表示内容を容易に確認することができ、使用者が掃除をするときの動機付けとしての効果をもたらすことができる。
【００５３】
次に、図８を参照して、算出した消費カロリー、あるいは運動量、あるいはその両方の情報（以下、運動情報という）が、運転情報番号に対応して記憶手段６３に記憶され、携帯情報端末９１に送信される過程について詳細に説明する。
図８（ａ）は、初期状態（工場出荷時）の記憶手段６３に記憶されている運転情報番号とこれに対応する運動情報、最新書き込み運転情報番号、及び、最新読み込み済み運転情報番号を示す表。
図８（ｂ）は、掃除を２回した状態の記憶手段６３に記憶されている運転情報番号とこれに対応する運動情報、最新書き込み運転情報番号、及び、最新読み込み済み運転情報番号を示す表。
図８（ｃ）は、掃除を２回した状態で外部端末にて運転情報を込み込んだ状態の記憶手段６３に記憶されている運転情報番号とこれに対応する運動情報、最新書き込み運転情報番号、及び、最新読み込み済み運転情報番号を示す表。
【００５４】
ここで、運転情報とは、電気掃除機の運転について、所定の区切りで区切り、個々の運転ごとに算出した消費カロリー、あるいは運動量、あるいはその両方の情報をいう。所定の区切りとは、例えば、電動送風機を動作させてから停止させるまでの間など、１つの運転情報が１回の掃除作業といえるような区切りである。
運転情報番号とは、個々の運転情報に付与され、これらを管理するためのインデックスとなる番号である。
最新書き込み運転情報番号とは、新たに記憶手段６３に記録された運転情報を示すものであり、運転情報番号が用いられる。
最新読み込み済み運転情報番号とは、最後に外部端末に込み込まれた運転情報を示す番号であり、運転情報番号が用いられる。
【００５５】
図８（ａ）を参照すると、初期状態では電気掃除機は使用されていないので、記憶手段６３には、運転情報や最新書き込み運転情報番号、最新読み込み済み運転情報番号は、記録されていない。
次に、図８（ｂ）を参照すると、掃除を２回状態であることから、運転情報番号「１」と「２」に、それぞれ１回目の運転情報と２回目の運転情報が記録されている。運転情報は、時系列に管理され、運転情報番号が大きいほど新しい運転情報となる。つまり、最新書き込み運転情報番号が示す「２」が最新の運転情報となる。
尚、図８（ｂ）の状態は、まだ、携帯情報端末９１が運転情報を読み取っていない状態であることから、最新読み込み情報は「０」となっている。
【００５６】
次に、図８（ｂ）の状態のときに、携帯情報端末９１を情報伝達手段６１に近付けることにより、読み取っていない運転情報を読み取り可能な状態となる。この状態で、手元制御部３２は、記憶されている最新書き込み運転情報番号と最新読み込み運転情報番号を比較する。
比較の結果、手元制御部３２は、最新書き込み運転情報番号と最新読み込み運転情報番号が同じ場合、既に最新の運転情報まで読み込まれたと判断して、情報伝達手段６１から運転情報の送信を行わない。
【００５７】
また、比較の結果、手元制御部３２は、最新書き込み運転情報番号と最新読み込み運転情報番号が異なる場合、例えば図８（ｂ）の状態の場合、最新読み込み運転情報番号が「０」であり、最新書き込み運転情報番号が「２」であることから、運転情報番号が「１」と「２」の運動情報が込み込まれていないと判断し、情報伝達手段６１から、運転情報番号「１」「２」の運転情報を携帯情報端末９１に送信する。
そして図８（Ｃ）に示すように、手元制御部３２は、未読み込みの運転情報の携帯情報端末９１への送信処理が完了すると、記憶手段６３に記憶する最新読み込み運転情報番号を「２」に書き換える。
【００５８】
以上のように、最新書き込み運転情報番号と最新読み込み運転情報番号を比較して、未読み込みの運動情報を携帯情報端末９１が読み込み可能とすることにより、読み込む運動情報が重複することなく、携帯情報端末９１が読み込むことができる。
【００５９】
実施の形態２．
次に、図９を参照して、実施の形態２を説明する。尚、実施の形態１と電気掃除機の構成については同様であることから、説明を省略する。
図９（ａ）は、初期状態（工場出荷時）の記憶手段６３に記憶されている運転情報番号とこれに対応する運動情報、最新書き込み運転情報番号、最新読み込み済み運転情報番号、及び、識別情報として記憶されたシリアル番号を示す表。
図９（ｂ）は、初期状態（工場出荷時）の記憶手段６３に記憶されている運転情報番号とこれに対応する運動情報、最新書き込み運転情報番号、最新読み込み済み運転情報番号、及び、識別情報として記憶されたランダムな数値を示す表。
【００６０】
本実施の形態の記憶手段６３は、運転情報、運転情報番号、最新書き込み運転情報番号、最新読み込み済み運転情報番号に加え、個々の電気掃除機それぞれ固有の識別情報を記憶することができる。
この識別情報は、例えば、工場を出荷する際に、ある決まった個々の識別をするために割り当てられる番号であるシリアル番号を用いてもよい。
また、外部の機器から識別情報を取得して記憶手段６３に記録してもよい。例えば、携帯情報端末９１と初めて通信を行う際に、携帯情報端末９１にインストールされているアプリケーションを用いて、時刻データなどに基づきランダムな番号を算出して、この番号を識別情報として用いることにより、他の電気掃除機と同じ番号となることを避けることができる。
【００６１】
このように記憶手段６３に記録された識別番号は、手元制御部３２が、未読み込みの運転情報の携帯情報端末９１への送信処理を行う際に、個々の運転情報にそれぞれ関連付けられて携帯情報端末９１へ送信される。
つまり、運転情報を受け取った携帯情報端末９１側では、この運転情報がどの電気掃除機を用いたことによる運転情報かを把握することができるので、一人のユーザーが複数の電気掃除機を使用する場合、個々の電気掃除機ごとの運転情報を読み取り、管理・表示することができる。
【符号の説明】
【００６２】
１  ホース体、２  電気掃除機本体、３  吸込具、４  延長管、５  把持部、６  手元操作部、７  ホース、８  接続口、９  ハンドル、１０  集塵部、１１  電動送風機、１２  本体制御基板、１３  車輪、１４  キャスター、２１  把持部本体、２２  上カバー、２３ａ  側面カバー、２３ｂ  側面カバー、２４ａ  手元操作部側面カバー、２４ｂ  手元操作部側面カバー、２５  操作部基板、２６ａ  操作キー、２６ｂ  操作キー、２６ｃ  操作キー、２６ｄ  操作キー、２７ａ  スイッチ、２７ｂ  スイッチ、２７ｃ  スイッチ、２７ｄ  スイッチ、３１  入力手段、３２  手元制御部、３３  処理・演算部（スレーブマイコン）、３４  動作状態検出手段（３軸加速度センサー）、３５  表示手段、３６  計時手段、４１  商用電源、４２  本体制御部（マスターマイコン）、４３  スイッチ、６１  情報伝達手段、６２  情報伝達位置表示、６３  記憶手段、６４  受電コイル、６５  処理・演算部（スレーブマイコン）９１  携帯情報端末、９２  表示部、１００  電気掃除機、２００  電気掃除機。
【図１】
2015221151.tif 000003
【図２】
2015221151.tif 000004
【図３】
2015221151.tif 000005
【図４】
2015221151.tif 000006
【図５】
2015221151.tif 000007
【図６】
2015221151.tif 000008
【図７】
2015221151.tif 000009
【図８】
2015221151.tif 000010
【図９】
2015221151.tif 000011